【事件の表示】
　特許第３２２１４５４号「オッズ情報出力装置」の請求項１に係る特許に対する特許異議の申立てについて、次のとおり決定する。
【結　論】
　特許第３２２１４５４号の請求項１に係る特許を取り消す。
【理　由】
１．手続の経緯
　特許第３２２１４５４号に係る発明についての出願は、平成４年４月３０日の特許出願であって、平成１３年８月１７日にその発明について特許の設定登録がなされ、その後、その特許請求の範囲における請求項１に係る発明について、異議申立人株式会社東芝より特許異議の申立てがなされ、平成１４年９月１９日に取消理由通知がなされ、その指定期間内である平成１５年３月１７日に特許異議意見書が提出され、更に平成１５年５月１３日に取消理由通知がなされ、その指定期間内である平成１５年７月２３日に特許異議意見書が提出されたものである。
　
２．本件発明
　本件請求項１に係る発明は、その特許請求の範囲の請求項１に記載された次のとおりのものである。
　
【請求項１】レースが開催される複数の競技場名を表示する競技場名表示手段と、この競技場名表示手段によって表示された競技場のうち、利用者の指示に応じていずれか１つを選択する競技場選択手段と、この競技場選択手段によって選択された競技場で開催されるレース名を表示するレース名表示手段と、このレース名表示手段によって表示されたレースのうち、前記利用者の指示に応じてレースを選択するレース選択手段と、このレース選択手段によって選択されたレースに対応するオッズ情報を印字出力する出力手段とを具備するオッズ情報出力装置において、
　前記複数の競技場でそれぞれ開催される各レースの内容を表すレース情報を場内及び場外馬券売場に有線で配信されるＪＲＡ（日本中央競馬会）文字放送から直接受信し、該文字放送によるパケットデータからテキストデータを抽出して最新の生の公式オッズ情報をＲＡＭに記憶させると共に、該レース情報から抽出されたモニター複数画面分に相当する「単勝複勝、枠番連勝、馬番連勝」の全ての投票券についてのレースの配当を表すオッズ情報をプリペードカードを用いて所定のフォーマットで印字出力することを特徴とするオッズ情報出力装置。
　
３．引用刊行物記載の発明
（１）当審が平成１５年５月１３日に通知した取消理由に引用した刊行物１（「優駿１０月号」、第５１巻第１０号、発行所　日本中央競馬会、平成３年１０月１日発行、第７〜１４頁）には、図面と共に次の事項が記載されている。
　
（１のア）『馬番連勝のオッズ表示が分かりやすく見やすいことも、意外といえば意外であった。レースのたびにオッズ表を手に入れなければならないのかと思っていたが、パドックのそばに表示されるトータリゼータでじゅうぶんに確認することができる。
　場内のあちこちに設置されているので、オッズプリンタというものも試してみた。
　「一度に三レース分のオッズ情報をとり出すことができます」
　と、かたわらに説明案内役でついていたＪＲＡ職員のひとが言う。プリンタの大きさはごくふつうのデスクあるいはファックス機と同じくらい。テレホンカードと同じようにそのプリンター機にプリペイドカードを挿入し、“競馬場名”と“レース・ナンバー”のボタンを押し、最後に色つきのボタンを押せば小さなオッズ情報紙が簡単にでてくる。むろんそのオッズ情報はその時点のもので、一度に三つのレース・ナンバーを押せば三レース分が出てくるから、いろいろと利用することもできるだろう。一度の利用につき十円。プリペイドカードは場内の売店で売られている。あまり利用客はなかったように思う。
　「へぇ、これがオッズ情報機か」
　と、見物にくる人のほうが多いようだった。」』（第１４頁）
　
（１のイ）第１４頁には、
　『オッズプリンターの概観写真』、及びオッズプリンター用の『プリペイドカード（ＪＲＡ　ＯＤＤＳ　ＣＡＲＤ）を撮影した写真』が掲載されており、オッズプリンタの写真には、『オッズプリンタは場内に設置されており、いつでも利用できる』という記載が付されており、プリペイドカードの写真には、『オッズプリンタ用のプリペイドカード』という記載が付されている。
　
（１のウ）第１５頁には、『オッズプリンタから引き出したオッズ表』が掲載されており、それには『オッズプリンタから引き出したオッズ表。単・複、枠連、馬連とすべてのオッズが見れる』という記載が付されている。
　
　以上の記載に鑑みると刊行物１には、
　「レースが開催される複数の競技場名を表示する競技場名表示手段と、この競技場名表示手段によって表示された競技場のうち、利用者の指示に応じていずれか１つを選択する競技場選択手段と、この競技場選択手段によって選択された競技場で開催されるレース名を表示するレース名表示手段と、このレース名表示手段によって表示されたレースのうち、前記利用者の指示に応じてレースを選択するレース選択手段と、このレース選択手段によって選択されたレースに対応するオッズ情報を印字出力する出力手段とを具備するオッズ情報出力装置において、
　前記複数の競技場でそれぞれ開催される各レースの内容を表すレース情報を場内及び場外馬券売場に配信し、該レース情報から抽出された「単勝複勝、枠番連勝、馬番連勝」の全ての投票券についてのレースの配当を表す最新の生の公式オッズ情報をプリペードカードを用いて所定のフォーマットで印字出力することを特徴とするオッズ情報出力装置。」
という発明が記載されている。
　
（２）当審が平成１５年５月１３日に通知した取消理由に引用した刊行物２（「ＫＥＩＢＡ　ＣＡＴＡＬＯＧ」、ＶＯＬ．１０、発行所　日本中央競馬会、平成１４年４月１日発行、第１０〜１１頁）には、図面と共に次の事項が記載されている。
　
（２のア）第１１頁には、『オッズプリンタの概観写真』と『ＪＲＡ　ＯＤＤＳ　ＣＡＲＤを撮影した写真』が載っており、オッズプリンタの写真には、
　『・単勝式、複勝式、枠番連勝、のテレビのオッズ表示は１画面ですが、馬番連勝の場合には、組み合わせが多いため、最大４画面で表示になります。』記載が付されており、
　ＪＲＡ　ＯＤＤＳ　ＣＡＲＤの写真には、
　『オッズプリンター
　オッズを知るための最新兵器がこのオッズプリンターです。競馬場、ウインズの各所に設置されていて、組み合わせの多い馬番連勝のオッズを知りたいときに、威力を発揮します。使い方は簡単。まず、オッズプリンターにオッズカード（オッズプリンター用プリペイドカード）を挿入。知りたいレースの競馬場名とレース番号のボタンを押し、そして最後にプリントボタンを押すだけで、最新のオッズ表がでてきます。１度に３レース４種類のオッズ情報が取りだせ、使用量は１レースにつき１０円。オッズカードは、１００円、３００円、５００円、１０００円の４種類で、競馬場、ウインズの売店などで販売しています。』
という記載が付されている。
　　　　
（３）当審が平成１５年５月１３日に通知した取消理由に引用した刊行物３（「アベコーの穴党ハッピー競馬」、著者阿部幸太郎、発行所主婦と生活社、平成３年１２月２６日発行、第３８−４０頁）には、図面と共に次の各事項が記載されている。
　
（３のア）『最後に、まだ馬番連勝馬券を買ったことがない、という方のために、購入法のガイドをしておきましょう。
　馬番連勝馬券を購入するときは、縦８２センチ、横１１．７センチの投票カードを利用することになるのですが、これは競馬場のいたるところで無料配布されていますから、心配することはありません。
　次に、このカードは全国共通カードになっていますから、カードを手にしたら、真っ先に競馬場名のところを塗りつぶしてください。
　狙うレースを決めたら、パドック、返し馬でチェック。オッズをよく比較検討して、いよいよ馬券の購入です。
　オッズを比較するときは、パドックわきに新設された馬番連勝用オッズをもってしても、最大１５３とおりのオッズを一度に表示することはできませんから、一目でオッズが確認できるオッズプリント
　
　
　
（３のイ）第４０頁には、『ＪＲＡ　ＯＤＤＳ　ＣＡＲＤの写真』が載っており、それには『オッズカードをプリンターに入れると、その時点のオッズがプリントされる。配当を検討してマークシートに記入し、発券窓口へ。』という記載がふされている。（第４０頁）
　
（４）当審が平成１５年５月１３日に通知した取消理由に引用した刊行物４（「競馬の楽しみ方　ビギナーのための入門講座」、著者井崎脩五郎、発行所講談社、１９９２年４月１５日発行、第９６〜１１１頁）には、図面とともに次の記載がある。
　
（４のア）『馬番・枠番
　レースに出走する馬には、一頭一頭に番号が付きます。「馬番」とか「枠番」といって、馬券を買う時には、とても重要な番号です。
（中略）
マークカードの記入方法　単勝　複勝　枠番連勝　馬番連勝
（中略）
■単勝馬券の購入方法
（メジロクイーンを１０００円の場合）
式別　　　　単勝をぬる
場名　　　　開催地（この場合、中山）をぬる
レース番号　該当レース（この場合、９レース）
　　　　　　をぬる
枠番・馬番　 出馬表の馬番号（この場合、１番）
　　　　　　をぬる
金額　　　　１と千円をぬる
（以下、後略）』（第１００〜１０１頁）
　
（４のイ）『馬券の種類
　馬券には、単勝式、複勝式、連勝複式（枠番連勝・馬番連勝）があります。なかでも、一九九一年から新しく加わった「馬番連勝」は、高配当が続出で、とても人気があります。
（中略）
・単勝式
（中略）
・複勝式
（中略）
・連勝複式（枠番連勝）
（中略）
・連勝複式（馬番連勝）
（以下、後略）』（第１０２〜１０３頁）
　
（４のウ）第１０７頁には、『オッズプリンタの概観写真』と『ＪＲＡ　ＯＤＤＳ　ＣＡＲＤを撮影した写真』が掲載されており、それには、
　『馬番連勝になって、オッズ数が増えたため設置されたオッズプリンター（左）とオッズカード（右）。オッズプリンタから出力されるオッズ表（中）。単、複、枠連、馬連とすべてのオッズが見られる。このオッズでは、もし（１）−（９）が的中の場合は１７８７倍、つまり１００円に対して１７万８７００円の払い戻しがあることを示している。』という記載がある。（第１０７頁）
　
（５）当審が平成１５年５月１３日に通知した取消理由に引用した刊行物５（「たてがみ」、第２９巻第９号、発行所日本中央競馬会、１９９１年９月３０日発行）には、図面とともに次の事項が記載されている。
　
（５のア）『オッズプリンタの概観写真』が載っており、それには、『オッズプリンターは場内に１１台設置。使用方法をファンに説明する星野職員（本部）』という記載が付されている。
　
（６）当審が平成１５年５月１３日に通知した取消理由に引用した刊行物６（特開平２−１１０６６６号公報）には、図面と共に次の事項が記載されている。
　
（６のア）『図面第１図乃至第４図において、この在宅投票装置には、アンテナ１にて受けたテレビ放送の文字放送を受信し、その文字放送をテレビジョン等の画面に表示する文字放送受信部（文字放送システム）２と、勝馬投票のための勝馬番号や購入金額を設定する設定機能、文字放送の競馬番組よりの競馬情報および勝馬投票に必要は情報を上記画面に表示するための表示処理機能、勝馬投票券購入データを電話回線を介して勝馬投票券発売センター側に送信する送信機能、その勝馬投票券の当たり等を問い合わせる照会機能およびリモコン信号にて動作するリモコン機能等を有する勝馬投票制御部３とが設けられている。』（第３頁上右欄第１５行〜同頁下左欄第７行）
　
（６のイ）『ここで、電源スイッチ３０がＯＮにされ、テレビ／文字操作キー群２７の「電源」キーが操作され、更に「文字放送」キーが操作されると、そのリモコン信号が勝馬投票制御部３の受光部およびＩ／Ｆ部１４を介して入力される。勝馬投票制御部３のＣＰＵ１８からは文字放送受信の指示が出力され、その指示信号はＩ／Ｆ部２１，Ｉ／Ｆ部２２を介して文字放送受信制御部２に入力される。すると、チューナ部５にてそのＲＫＰ４の操作に応じたチャネルの文字放送信号が選択され、ＤＲＴ部６に入力される。ＤＲＴ部６にてその文字放送信号がデータパケット（同調、データ、チェック符号）に再生され、そのデータパケットによる番組データ（番組管理データ、ページデータ）が内部のバッファＲＡＭに記憶される。さらに、ＣＰＵ９の制御により、そのバッファＲＡＭの番組データが読み出される。』（第４頁下左欄第１９行〜同頁下右欄第１４行）
　
（６のウ）『以上説明したように、この発明の在宅投票装置によれば、文字放送の受信に際し、その文字放送の１頁分を記憶するテンポラリＲＡＭと、その記憶時にデータパケットエラーが発生しないときに、そのテンポラリＲＡＭに記憶された文字放送データを映像信号に変換してテレビジョン等に出力する文字放送受信手段と、上記文字放送の競馬番組によるレース情報を上記テレビジョンの画面に表示し、所定レースの勝馬投票データを電話回線を介して勝馬投票券発売センター側に出力し、勝馬投票券を購入する機能とを有する勝ち馬投票手段とを備え、上記文字放送の受信に際し、データパケットのエラーが発生しない場合、そのテンポラリＲＡＭに記憶されたデータを前記ＲＡＭ部に転送し、そのデータパケットのエラーが発生した場合、そのテンポラリＲＡＭに転送しないようにしたので、ＲＡＭ部にはエラー発生時の頁のデータは記憶されず、前回受信のデータがそのまま残されるため、テレビジョン等の画面には文字放送が一部に欠けを生じたりするすることもなく、確実に表示されるという効果がある。』（第５頁下左欄第９行〜同頁下右欄第１０行）
　
（７）当審が平成１５年５月１３日に通知した取消理由に引用した刊行物７（特開平２−１１０６６０号公報）には、図面とともに次の事項が記載されている。
　
（７のア）『第１図乃至第４図において、この在宅投票装置には、アンテナ１にて受けたテレビ放送の文字放送を受信し、その文字放送をテレビジョンの画面等に表示する文字放送受信部２と、勝馬投票のための勝馬番号や購入金額を設定する設定機能、文字放送の競馬番組よりの競馬情報（オッズ等）および勝馬投票に必要な情報を上記画面に表示するための表示処理機能、勝馬投票券購入データを電話回線を介して勝馬投票券発売センター側に送信する送信機能、その勝馬投票券の当たり等を問合わせる照会機能およびリモコン信号にて動作するリモコン機能等を有する勝馬投票制御部３とが設けられている。』（第３頁下左欄第１３行〜同頁下右欄第５行）
　
（７のイ）『第１４図に示されるように、画面には競馬場名、発売区間等の投票画面が表示される（ステップＳＴ７）。ここで、例えば東京競馬場の当日発売を選択する場合には、画面下部に表示されているメッセージにしたがって、ＲＫＰ４の購入キー群２９の数字「６」キー、さらに「＃」キーを操作する（ステップＳＴ８）。すると，ＣＰＵ１８にてその選択に応じた表示制御処理が行なわれ、第１５図に示されるように、「６．東京」の表示部分の色が変えられ、他の部分と見分けられるようになる。続いて、上記同様に数字「１」キー、さらに「＃」キーを操作すると（ステップＳＴ８）、東京競馬場の当日発売の勝馬投票券を購入するための初期設定が行なわれ、投票Ａサブルーチンに進むことになる。
　このように、画面の表示にしたがって、ＲＫＰ４の操作を行なうことにより、勝馬投票制御部３のＣＰＵ１８にて勝馬投票の初期設定が完了され、後述する所定競馬場、所定レースの勝馬投票や所定レースの競馬情報の表示等（投票入力画面の表示）を行なうことができるようになる。』（第５頁上右欄第３行〜同頁下左欄第３行）
　
（７のウ）『次に第１１図の表示サブルーチンにおいて、そのファンクションキー群２８の「表示」キーが操作されると，Ｉ／Ｆ部２２を介して入力した受信状況の情報信号により、文字放送の受信が正常に行なわれているか否かの判断が行なわれる（ステップＳＴ５２）。文字放送受信部２にて正常な受信が行なわれると、その文字放送の競馬番組の情報により、今日が競馬開催日であるか否かの判断が行なわれる（ステップＳＴ５４）。続いて、その競馬場の開催日である場合には、画面に競馬情報の表示が行われているか否かの判断が行なわれる（ステップＳＴ５４）。その表示が行なわれていないときには、第２７図に示されるよう、場名選択画面の表示処理が実行される（ステップＳＴ５５）、すなわち、既に種々競馬情報等の表示処理が行なわれているときには、その表示のための初期設定が既に行なわれているからである。そこで、画面下部のメッセージにしたがっって、所定数字キーの操作、続いて「＃」キーが操作されると（ステップＳＴ５６）、第２８図に示されるように、表示メニュー画面の表示処理が行なわれる（ステップＳＴ５７）。さらに、その画面下部のメッセージにしたがって、例えば数字キー「１」と「＃」キーが操作されると（ステップＳＴ５８）、オッズ情報表示モードとされ、例えば連勝キーが操作されると、第２９図に示されるように、オッズ（例えば１０レースの連勝オッズ）表示処理が行なわれる（ステップＳＴ５９）。このとき、画面に表示されている連勝オッズ情報は、文字放送の競馬番組よりの最新のデータに基づいたものである。これは、例えば勝馬投票券を購入するに際し、ファンにとってオッズ情報が極めて重要な目安になっているからである。ここで、ファンクションキー群２８の「＋」キーあるいは「−」キーが操作されると、レース番号がアップあるいはダウンされる。その操作に応じたレースのオッズ情報が画面に表示される。また、「連勝」キー操作の変わりに「単勝」キーあるいは「複勝」キーが操作されると、その操作に応じたオッズ情報表示処理が行なわれ、第３０図に示されるように、画面には上記連勝オッズ情報表示と同様のオッズ情報が表示される（ステップＳＴ５９）。』（第８頁下右欄第７行〜第９頁上右欄第６行）
　
（７のエ）『以上説明したように、この発明の在宅投票装置によれば、文字放送を受信する文字放送受信機能と、その文字放送を表示するテレビ画面に競馬情報（各レースのオッズ等）、そのレース結果、勝馬投票およびその勝馬投票状態等を表示すると共に、その表示画面にて勝馬投票操作を行った後、送信操作を行なうことにより、その勝馬投票券購入に必要なデータを電話回線を介して勝馬投票券発売センターに送信する勝馬投票機能とを備えたので、在宅にて勝馬投票を行なうに際し、その勝馬投票券購入のデータ送信が一括、例えばパケット形式で送られるため、電話回線の使用時間が短くてお済み、勝馬投票券発売センター側と接続される在宅投票装置がより多くなり、より多くのファンが勝馬投票券を購入できるようになる。また、この発明によれば、文字放送の競馬番組による最新情報を記憶するようになっているため、いつでも必要とする最新の競馬情報を得ることができ、ファンにとってはその最新情報を参考として勝馬投票を行なうことができるという効果がある。』（第１０頁上右欄第９行〜同頁下左欄第８行）
　
（８）当審が平成１５年５月１３日に通知した取消理由に引用した刊行物８（特開平２−９４９６０号公報）には、図面と共に次の事項が記載されている。
　
（８のア）『こうして、コントローラ部１４のマルチバッファ１７に所望の表示画面（ＣＲＴ１〜ＣＲＴ４）全ての画像データが一括編集され記憶されると、このマルチバッファ１７に記憶された編集画像データがプリンタ部１５に出力されプリントされる。
（中略）
　したがって、上記構成のマルチポートハードコピー装置によれば、複数のＣＲＴ表示装置に表示される表示画像データを、マルチポート入力部１２により一括入力し、所定の書式に編集してプリントできるので、多数の表示画面の中から所望の画像データをリアルタイムにハードコピーすることが可能になる。』（第２頁下右欄第３行〜第３頁上左欄第２行）
　
（９）当審が平成１５年５月１３日に通知した取消理由に引用した刊行物９（特開平３−１１４３５２号公報）には、図面と共に次の事項が記載されている。
　
（９のア）『【産業上の利用分野】
　この発明は、ボタン電話あるいはＰＢＸにおける、カードを利用した通話料金管理方式に関する。』（第１頁しら右欄第１５〜１８行）
　
（９のイ）『一方、主装置１０でＩＤコードが登録されていると判別すると、記憶回路１５の料金情報エリアの、読み取られたＩＤコードに対応する予算料金情報を読み出す（同、３０８）。
（中略）
　そして、１度数の使用があったら、記憶回路１５の、前記検索したＩＤコードに対応した料金情報エリアの予算料金情報の金額から１度数（１０円）を減算し、その減算結果により記憶回路１５の対応する料金エリアの予算料金情報を書き替える（同、３２０）』（第６頁上右欄第１８行同頁下右欄第８行）
　
（１０）当審が平成１５年５月１３日に通知した取消理由に引用した刊行物１０（特開平３−１８９７６４号公報）には、図面と共に次の事項が記載されている。
　
（１０のア）『［従来の技術］
（前略）
　総合センター２８ではこの投票データを受け付けると共に全ての投票データに基づいて各番組、馬番の当選倍率即ちオッズを計算し、このオッズと他のデータ、例えば開催地、出走馬の状態等の情報をオンラインで接続された放送局２１を通じて文字多重放送等によって放送する。一方契約者はこの電波２２をアンテナで受け、端末機２３を通じてオッズデータをテレビ２４で表示して、オッズデータ、開催地、馬の状態等の情報を知ることができる。』（第２頁上左欄第１〜１９行）
　
（１０のイ）『第３図乃至第６図は本発明に係る投票システムの端末装置の実施例を示すものである。
（中略）
同図において、３１はアンテナに接続されたチューナ部、３２はチューナ部３１が受信した文字多重放送から必要な情報例えばオッズデータ開催地等の信号を抽出してディジタル信号として出力する信号抽出部、４６は制御プログラム等を格納したＲＯＭ、３７はディジタル化されたオッズデータ等の情報を格納するＲＡＭ、３５は上記の信号に基づいてＣＧＲＯＭ（キャラクタ・ジェネレータＲＯＭ４０、ＶＲＡＭ（ビデオＲＡＭ）４１から必要な文字画像を読み取りテレビ２４に表示させる文字多重表示部、４２はこの文字多重放送処理部の制御を行なうプロセッサ（ＭＰＵ）をしめしている。』（第２頁下左欄第２０行〜同頁下右欄第１９行）
　
（１１）当審が平成１５年５月１３日に通知した取消理由に引用した刊行物１１（特開平２−１１０６６２号公報）には、図面と共に次の事項が記載されている。
　
（１１のア）『この発明の在宅投票装置は、アンテナにて受けたテレビ信号より、所定のチャネルの文字放送による競馬番組を受信し、その競馬番組を映像信号に変換してテレビジョン等に出力する文字放送受信手段と、勝馬投票に必要な情報のデータを記憶する記憶手段と、この記憶手段に記憶されている情報中のオッズ情報をその人気順に並べ替える人気順オッズ処理手段と、この人気順オッズ処理手段にて並び替えられたオッズ情報を記憶する人気順専用ＲＡＭと、上記記憶手段および人気順専用ＲＡＭに記憶されている情報に基づいて、上記テレビジョンの画面に必要な情報を表示する表示処理手段と、所定勝馬投票に必要な情報の表示、勝馬番号、購入金額および暗証番号（ＩＤ）等を設定するための勝馬投票設定手段と、この勝馬投票設定にて設定された勝馬投票を電話回線を介して勝ち馬投票券発売側に送信する勝馬投票送信手段とから構成される勝馬投票手段とを有し、上記勝馬投票設定手段にて上記競馬番組よりのオッズ情報をその人気順に並び替えて上記画面に表示する指示が出されたときには、上記人気順専用ＲＡＭに記憶されているオッズ情報に応じ、上記画面にその人気順オッズを表示するようにしたことを要旨とするものである。』（第２頁下左欄第１９行〜第３頁上左第２行）
　
（１１のイ）『文字放送受信部２には、所定チャネルのテレビ放送、文字放送を受信して映像信号を取り出すチューナ部５と、その映像信号よる文字放送データを取り出すＤＲＴ（Ｄａｔａ　Ｒｅｇｅｎｅｒａｔｏｒ　for　Ｔｅｌｅ−ｔｅｘｔ部６と、その文字放送データを記憶するＲＡＭ部７』（第３頁上右欄第２０行〜同頁下左欄第４行）
　　
（１２）当審が平成１５年５月１３日に通知した取消理由に引用した刊行物１２（特開平３−１６８８６６号公報）には、図面と共に次の事項が記載されている。
　
（１２のア）『第３図は在宅投票システムの概念図である。放送局１から文字多重放送で送られてきたオッズ情報はアンテナ２で受信され在宅投票端末装置３に導かれる。該在宅投票端末装置３は受信したデータを編集処理して、テレビ４に編集結果を表示する。表示の態様としては、図に示すように、人気、組番、オッズが表示される。』（第２頁上右欄第５〜１１行）
　
（１２のイ）『［作用］
　在宅投票端末装置がスタンバイ状態でも、信号受信処理部１１ａの身は、文字多重放送を受信して編集処理し、その結果を内蔵のＲＡＭに格納する動作を常時行っている。従って、加入者がメイン電源１４をオンにすると、信号受信処理部１１ａに格納されているオッズ情報を速やかにテレビ４に表示することができる。』（第３頁上左欄第１〜８行）
　
（１３）当審が平成１５年５月１３日に通知した取消理由に引用した刊行物１３（特開平２−１１０６６５号公報）には、
　
（１３のア）『第１図乃至第４図において、この在宅投票装置には、アンテナ１にて受けたテレビ放送の文字放送を受信し、その文字放送をテレビジョン等の画面に表示する文字放送受信部２と、
（中略）
　文字放送受信部２には、所定チャネルのテレビ放送、文字放送を受信して映像信号を取り出すチューナ部５と、その映像信号より文字放送データを取り出すＤＲＴ（Ｄａｔａ　Ｒｅｇｅｎｅｒａｔｏｒ　for　Ｔｅｌｅ−ｔｅｘｔ）部６と、その文字放送データを記憶するＲＡＭ部７』（第３頁上右欄第１９行〜同頁下左欄第１８行）
　
（１３のイ）『ここで、電源スイッチ３０がＯＮにされ、テレビ／文字操作キー群２７の「電源」キーが操作され、さらに「文字放送」キーが操作されると、そのリモコン信号が勝馬投票制御部３の受光部およびＩ／Ｆ部１４を介して入力される。勝馬投票制御部３のＣＰＵ１８からは文字放送受信の指示が出力され、その指示信号はＩ／Ｆ部２１、Ｉ／Ｆ部２２を介して文字放送受信部２入力される。すると、チューナ部５にてそのＲＫＰ４の操作に応じたチャネルの文字放送信号が選択され、ＤＲＴ部６にてその文字放送信号がデータパケット（同調、データ、チェック符号）に再生され、そのデータパケットによる番組データ（番組管理データ、ページデータ）が内部のバッファＲＡＭに記憶される。』（第４頁下右欄第６〜１９行）
　
（１４）当審が平成１５年５月１３日に通知した取消理由に引用した刊行物１４（特開平４−２１２８９号公報）には、図面と共に次の事項が記載されている。
　
（１４のア）『本発明は、文字放送受信装置、より詳細には、音声出力可能な文字放送受信装置に関する。』（第１頁下左欄第１６〜１７行）
　
（１４のイ）『文字放送受信部１はテレビジョン電波を受信、検波し、文字放送データを抽出する。パターンメモリ２は文字放送データ中の画素データや文字発生部３によって発生した文字パターンを一時的に記憶し、テレビ画面４に出力する。文字発生部３は文字放送中の文字コードを受けて、コードに対応する文字パターンを発生し、パターンメモリ２へ送る。』（第２頁上右欄第第４〜１１行）
　
（１５）当審が平成１５年５月１３日に通知した取消理由に引用した刊行物１５（特開平４−８３４８７号公報）には、図面と共に次の事項が記載されている。
　
（１５のア）『［産業場の利用分野］
　本発明は、文字放送の放送時間中は表示装置の電源ＯＮ制御する文字放送受信機に関する。』（第１頁下右欄第１〜２行）
　
（１５のイ）『入力信号のビット同期信号である前記クロックランイン２４に続くデジタルデータを読み取り、フレーミングコード２５の可否を確認してデータパケットの開始位置を判別し、一群の同データパケットのデータを読み取り、同データパケットを一つのブロックとして誤り訂正処理をする。
　前記データパケットの誤り訂正処理をしたデータの初めに位置するプリフィックス２６の内容を確認し、以降のデータが所定の伝送形式に従った文字放送の表示データであることを示すコードの有無を識別する。』（第２頁上右欄第１３行〜同頁下左欄第３行）
　
（１５のウ）『前記データパケットのプリフィックス２６および誤り訂正のチェック符号を除いたデータブロック２７のデータを、前記制御部１４のメモリに受信順に記憶し、複数の走査線にわたるデータをまとめ、文字放送の番組データとする。』（第２頁下右欄第１８行〜第３頁上左欄第２行）
　
（１６）当審が平成１５年５月１３日に通知した取消理由に引用した刊行物１６（報知新聞、１９９１年８月２７日（火曜日）発行、６版、（１３）面）には、
　日本の競馬史上初の１枠１頭制、馬番連複馬券が、函館競馬初日から発売される旨の記事が記載されており、その記事とともに『オッズプリンタの概観写真』が掲載されており、それには、『函館競馬場に設置されたオッズプリンター。カードをさし込むと１０円で、リアルタイムのオッズ表が…』との記載が付されている。
　
（１７）当審が平成１５年５月１３日に通知した取消理由に引用した刊行物１７（報知新聞、１９９１年８月２９日（木曜日）発行、６版、（１３）面）には、
　『函館に馬番連複用オッズボード披露』というタイトル名の記事が記載されている。
　
（１８）当審が平成１５年５月１３日に通知した取消理由に引用した刊行物１８（日刊スポーツ、１９９１年８月２１日（水曜日）発行、７版、（１５）面）には、
　『本紙が１点で的中させた’８９ダービー』というタイトル名の記事が記載されており、その記事には、『オッズのコピーは１０円
　馬番連複で問題となるのは、オッズ表示。最大で１５３通りもの組み合わせがあり、１度の画面ではすべてを表示できない。そこでＪＲＡでは場内テレビを全国で２０００台設置。モニター画面で４回に分けてファンに知らせる。また、オッズのコピーサービスも１レース分、１０円で発売する。このシステムを利用するには、オッズカードと呼ばれるプリペイドカードが必要となる。』との記載と、
　『今日運用テスト
　函館競馬場では今日２１日、第２回函館競馬（３１日開幕）から実施する１頭１枠制に伴う馬番連勝馬券の運用テストを行う。これは場内の発売窓口に係員を配置して、ＪＲＡ職員が渡した記入済（仮定）の専用マークカードを端末機に挿入するというもの。１５日に設置されたオッズプリンター（オッズがひと目で分かる）を最後に機械関係はすでに完了済み。マークカード記入案内係もすでに５５人採用し、本番に向けて準備は着々と進んでいる。』との記載とがある。
　
（１９）当審が平成１５年５月１３日に通知した取消理由に引用した刊行物１９（日刊スポーツ、１９９１年８月３１日（土曜日）発行、７版、（１２）面）には、
　『注目の１頭１枠制スタート　北海道地区のみ発売』というタイトル名の記事が記載されており、それには、『オッズプリンタ』と『オッズカード』の紹介文が記載されている。
　
４．対比・判断
（対比）
　請求項１に係る発明と刊行物１に記載された発明とを対比すると、
　刊行物１には、オッズプリンターにオッズプリンタ用のプリペイドカードを挿入し、競馬場名とレース・ナンバーのボタンを押し、最後に色付きのボタンを押せば最新のオッズ情報が記載されたオッズ情報紙がでてくることが記載されており（前記（１のア）参照。）、
　また、刊行物１の第１４頁には、オッズプリンタの概観写真、及びこのオッズプリンタに利用するオッズプリンタ用のプリペイドカード（ＪＲＡＯＤＤＳ　ＣＡＲＤ）を撮影した写真が掲載され（前記（１のイ）参照。）、第１５頁には、オッズプリンタを利用して引き出したオッズ表が掲載され（前記（１のウ参照。）ており、そしてオッズプリンタを利用して引き出したそのオッズ表には、（i）競馬の開催地（函館）、（ii）開催年月日（９１／０９／０１）、（iii）開催時刻（１３：０６）、（iv）レース番号（８Ｒ）、（v）式別（単勝式、複勝式、枠番連勝式、馬番連勝式）、（vi）オッズの情報が記載されている（前記（１のウ）参照。）から、刊行物１に記載された発明のオッズプリンタは、「レースが開催される複数の競技場名を表示する競技場名表示手段と、この競技場名表示手段によって表示された競技場のうち、利用者の指示に応じていずれか１つを選択する競技場選択手段と、この競技場選択手段によって選択された競技場で開催されるレース名を表示するレース名表示手段と、このレース名表示手段によって表示されたレースのうち、前記利用者の指示に応じてレースを選択するレース選択手段と、このレース選択手段によって選択されたレースに対応するオッズ情報を印字出力する出力手段とを有するもの」であることは明かであるから、請求項１に係る発明と刊行物１に記載された発明とは、
　「レースが開催される複数の競技場名を表示する競技場名表示手段と、この競技場名表示手段によって表示された競技場のうち、利用者の指示に応じていずれか１つを選択する競技場選択手段と、この競技場選択手段によって選択された競技場で開催されるレース名を表示するレース名表示手段と、このレース名表示手段によって表示されたレースのうち、前記利用者の指示に応じてレースを選択するレース選択手段と、このレース選択手段によって選択されたレースに対応するオッズ情報を印字出力する出力手段とを具備するオッズ情報出力装置において、
　前記複数の競技場でそれぞれ開催される各レースの内容を表すレース情報を場内及び場外馬券売場にを配信し、該レース情報から抽出された「単勝複勝、枠番連勝、馬番連勝」の全ての投票券についてのレースの配当を表す最新の生の公式オッズ情報をプリペードカードを用いて所定のフォーマットで印字出力することを特徴とするオッズ情報出力装置。」
である点で一致し、次の点で相違する。
　
（相違点１）
　本願発明は、各レースの内容を表すレース情報を場内及び場外馬券売場に有線で配信されるＪＲＡ（日本中央競馬会）文字放送から直接受信しているのに対し、
　刊行物１には、オッズ情報をどのようにオッズプリンタに配信するかについてその明かな記載がない点。
　
（相違点２）
　本願発明は、文字放送によるパケットデータからテキストデータを抽出してオッズ情報をＲＡＭに記憶させているのに対し、
　刊行物１には、オッズ情報をどのようにして得るかについての明かな記載がない点。
　
（相違点３）
　本願発明のオッズ情報は、モニター複数画面分に相当するのに対し、
　刊行物１には、一度に三つのレース・ナンバーを押せば三レース分のオッズ情報が出力される旨の記載はあるものの、それがモニター画面何枚分に相当するかについての明かな記載がない点。
　
（判断）
（相違点１について）
（i）各契約者が自宅の端末機に必要な投票データを入力しこのデータを電話網を介して総合センターに送出すると、総合センターではこの投票データを受け付け、投票データに基づいて最新のオッズを計算し、このオッズと開催地及び出走馬の状態等の情報をオンラインで接続された放送局へ送出し、この情報を受けた放送局は、オッズ、開催地及び出走馬の状態等の情報を文字多重放送によって放送し、各契約者はこの電波を受け、自宅の端末機を通じてオッズデータをテレビに表示することにより、オッズデータ、開催地及び出走馬の状態等の情報を知ることができるようにした勝馬投票システムは、本件出願前既に当業者には周知な事項である（前記（１０のア）及び（１０のイ）参照。）こと、
（ii）日本中央競馬会（ＪＲＡ）では、馬券を買いたくても直接競馬場へ行けない者のために、北海道及び本州に多くの場外馬券売場を開設し、それら競馬場内や場外馬券売場にその時点直前のオッズ情報を表示する表示装置およびオッズを印刷するオッズプリンタ等を設定していること、
（iii）日本中央競馬会（ＪＲＡ）のセンターは、多くの競馬場内や場外馬券売場から集まる投票データを瞬時に集計し、オッズを計算してこれを直ちに多くの競馬場内や場外馬券売場に配信しなければならないという事情を有していること、
　を考えると、情報関係技術の当業者であれば、このオッズ情報も、センターから場内及び場外馬券売場に有線を介して配信するようにすることは、特別の技術的知識及び格別の発明力を必要とすることなく直ちに想起することであると認められる。
　
（相違点２について）
　文字放送によるパケットデータからオッズ情報を抽出してこれをデジタル化しＲＡＭに記憶し、これを表示することは、刊行物６，７、刊行物１０〜１３及び刊行物１５に記載されている（前記（６のア、イ、ウ）、（７のア、イ、ウ、エ）、（１０のア、イ）、（１１のア、イ）、（１２のア、イ）、（１３のア、イ）、（１５のア、イ、ウ）参照。）ように当業者には、周知な技術であり、パケットデータから必要なデータを抽出しテキストデータとすることは、当業者が適宜なし得ることである。
　
（相違点３について）
　表示すべき情報が１度の画面では表示できないとき、数回にわたってモニター表示することは、当業者の技術常識程度のことであると考えられるところ、刊行物２（「ＫＥＩＢＡ　ＣＡＴＡＬＯＧ」、ＶＯＬ．１０、発行所　日本中央競馬会、平成１４年４月１日発行、第１０〜１１頁）には
　『・単勝式、複勝式、枠番連勝、のテレビのオッズ表示は１画面ですが、馬番連勝の場合には、組み合わせが多いため、最大４画面で表示になります。』との記載があり、
　刊行物１８（日刊スポーツ　１９９１年８月２１日（水曜日）発行、７版（１５面））には、
　『馬番連番で問題となるのは、オッズ表示。最大で１５３通りもの組み合わせがあり、１度の画面ではすべてを表示できない。そこでＪＲＡでは場内テレビを全国で２０００台設置。モニター画面で４回に分けてファンに知らせる。』との記載がある。
　情報関係技術の当業者であれば、このモニター画面複数面分に相当するオッズ情報を必要に応じて選択し印字出力することは、適宜なし得ることである。
　　　
　なお、本件請求項１に係る発明は、刊行物１〜５、刊行物１６〜１９、に記載の「オッズプリンタ」で採用されているシステムそのものと考えられる。そのことは、
　刊行物１〜５、刊行物１６〜１９、及び異議申立人株式東芝が提出した甲第１号証（「トータリゼータ」、社内報第６４巻、発行所　日本トータリゼータ株式会社、平成３年９月１５日発行、第６〜９頁）に記載の「オッズプリンタ」を利用するシステムは、すべて同じシステムであること、
　本件請求項１に係る発明の「オッズ情報出力装置」の概観写真と、刊行物１〜５、刊行物１６〜１９、及び甲第１号証（「トータリゼータ」、社内報第６４巻、発行所　日本トータリゼータ株式会社、平成３年９月１５日発行、第６〜９頁）に記載された発明の「オッズプリンタ」の概観写真とが同一と言っていいほど酷似していること、
　異議申立人株式東芝が提出した甲第１号証（「トータリゼータ」、社内報第６４巻、発行所　日本トータリゼータ株式会社、平成３年９月１５日発行、第６〜９頁）に記載の「オッズプリンタ」に関する説明が、刊行物１〜５、刊行物１６〜１９、に記載の「オッズプリンタ」の説明に沿う記載となっていること、
　本件請求項１に係る発明の「オッズ情報出力装置」で採用されているシステムと、刊行物１〜５、刊行物１６〜１９に記載された発明の「オッズプリンタ」で採用されているシステムとが異なるシステムであることを示す記載は一切見当たらないことからも窺うことができる。
　
５．むすび
　以上のとおりであるから、本件請求項１に係る発明は、刊行物１に記載された発明、及び周知慣用されている技術とに基いて、当業者が容易に発明をすることができたものであるから、本件請求項１に係る発明の特許は、特許法第２９条第２項の規定に違反してなされたものである。
　したがって、本件請求項１に係る発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年９月１０日（２００３．９．１０）